(57)【要約】      （修正有）【課題】球面体の全体構成を強靱にするために、５角広告面体又は６角広告面体の各々の角部に設けた挿着突条片と連結体との接続によって球体構造体を組み立てる球面体部材を提供する。【解決手段】球体構造体を構成するための球面体の部材には、５角広告面体と６角広告面体とを以って組立てるものであって、５角広告面体と６角広告面体には、各々の角部に連結用の挿着突条片又は尖端挿着突条片を一体に形成してある。また、連結体には、屈曲部を設けた連結体、または、楕円形状体の連結体等より構成され、各々連結体には、相対向する挿入孔、または傾斜挿入孔を形成してある。且つ、５角広告面体及び該６角広告面体には、必要に応じて表面に文字、図柄模様を画書するか、印刷シール等を貼着する。【選択図】図１
0003112679.tif 000002
【実用新案登録請求の範囲】
【請求項１】
球体構造体は、多角面体の５角広告面体と５角広告面体とを連結体により組立構成される広告、装飾兼用球面体部材において、該５角広告面体には、各角部の５ヶ所に各々連結用の挿着突条片を一体的に突設形成し、該挿着突条片を接続する連結体には、相対応する挿入孔又は傾斜挿入孔を形成したことを特徴とする広告、装飾兼用球面体部材。
【請求項２】
請求項１の５角広告面体を、６角広告面体に形成し、該６角広告面体の各角部の６ヶ所に各々連結用の挿着突条片を一体に突設形成したことを特徴とする請求項１の広告、装飾兼用球面体部材。
【請求項３】
請求項１及び請求項２における５角広告面体と６角広告面体には、表面に各種の文字、図柄模様を画書し、または、印刷シール、写真等を貼着したことを特徴とする請求項１及び請求項２の広告、装飾兼用球面体部材。
【考案の詳細な説明】
【技術分野】
【０００１】  本考案は、宣伝、広告又は置物の装飾品として使用される球面状の構造体を組立てるための多角広告面体と連結体とよりなる広告、装飾兼用球面体部材に関するものである。
【背景技術】
【０００２】  従来、この種の球面状体の部材としては、多数の棒状体とそれを接続する多数のジョイントを以って組立てて球面状体を構成したものが知られている。しかし、これ等の従来の球面状体は、構造が大変に複雑であると共に、多数の棒状体と多数のジョイント部品が必要となる問題点と、完成された球面状体が著しく軟弱で容易に破損すると云う問題点もある。また、球面状体自体には、装飾価値はあるが、広告、宣伝と云う点については、何等考えていない問題点もある。
【考案の開示】
【考案が解決しよとうする課題】
【０００３】  本考案は、上記従来の技術の有する各問題点を解決するためのもので、その主たる目的とする所は、球面体の全体構成を強靭とするために、強固な板状面の多角面体と、この多角面体の各角部に一体に設けた挿着突条片とを連接する連結体との組立てによって強固に球面構造体を組立て構成するものである。
【課題を解決するための手段】
【０００４】  上記目的を達成するために、本考案の球面構造体を構成する多角面体（１）を５角広告面体（２）と、６角広告面体（１２）との形状に形成する。この５角広告面体（２）と６角広告面体（１２）には、表面に必要に応じて文字、図柄模様（７）を画書すると共に、印刷シール及び写真等を貼着するものである。
また、該多角面体（１）の角部（６）に一体的に突設形成した挿着突条片（５）、尖端挿着突条片（１３）を各々連接する連結体（３）には、相対応する各種形状の挿入孔（９）、又は傾斜挿入孔（１１）を各々形成したことを特徴としている。
【考案の効果】
【０００５】  以上説明したように、本考案の球面体部材によれば、多角面体を５角広告面体及び６角広告面体と各種形状の連結体との２つの部材による部品により容易に球体構造体を組立できる効果と、従来のように棒状体とジョイントのものによる組立たものより著しく強靭化される効果もある。
そして、５角広告面体及び６角広告面体の表面には、各々各種の文字、図柄模様を直接又は間接に画書及び印刷シール、写真等を貼着したので、広告、宣伝及び装飾価値を著しく向上する便利な効果と、該５角広告面体及び該６角広告面体は、各々厚さ寸法を任意に選定して強固に製作できる効果もある。また、多角面体の５角広告面体と６角広告面体との角部に一体的に設けた挿着突条片は、強固に形成され、連結体にただ挿着するだけで容易に組立られる効果がある。更に、本考案の連結体は、各種の円形、楕円形及び方形状等を選定することによって装飾価値を著しく向上する効果と、連結体には、内部に相対応する挿入孔又は傾斜挿入孔を形成するだけで、球体構造体が容易に構成できる効果もある。
【考案を実施するための最良の形態】
【０００６】  本考案の実施の形態を説明すると、図１に示す如く、多角面体（１）の５角広告面体（２）と５角広告面体（２）との角部（６）に湾曲変形した連結体（３）（３）…を以って図３のように接続すると該５角広告面体（２）の外周に開口された６面体（１４）が形成されると共に、全体が球面体に構成されている。該５角広告面体（２）の表面に必要に応じた適宜な文字、図柄模様（７）を画書するか、印刷シール等の図柄模様（７）を貼着して装飾、広告及び置物として使用する。また、図８に示す如く、多角面体（１）を６角広告面体（１２）とした場合は、外周に３個の開口された５角広告面体（２）と、３個の６角広告面体（１２）が形成され、該６角広告面体（１２）の表面には、必要に応じた適宜な文字、図柄模様（７）を画書するか、印刷シール、写真等の図柄模様を貼着して使用するものである。
【実施例１】
【０００７】  次に本考案の実施例を図面について説明すると、図１に示すものは、本考案の実施例の形態による球体構造体（１５）であって、多角面体（１）の５角広告面体（２）と、連結体（３）とによって組立られたものである。図２に示す如く該５角広告面体（２）には、各コーナーとなる角部（６）の外側に向って各種形状の挿着突条片（５）を一体に突設形成してある。また、該５角広告面体（２）には、表面に必要に応じて文字、図柄模様（７）（７）を画書するか、または、印刷シール、写真等を貼着してある。
更に、図４、図５に示すものは、図２のＡ−Ａ線、Ｂ−Ｂ線の断面図を示すもので、その該５角広告面体（２）の厚さ寸法は、数耗の単位で自由自在に選定して厚さを決定するものである。
更に、図６、図７に示す球体を構成する連結体（３）の実施例を説明すると、該多角面体（１）を以って球面体を形成するのに該連結体（３）が重要な役割を示すもので、図６に示すものは、該連結体（３）の変形したもので、略中央部に屈曲部（８）を設けて全体を山形状に形成し、相対向する挿入孔（９）（９）を形成したものである。図７に示す他の実施例の連結体（３）は、楕円形状体（１０）を有し、相対向する傾斜挿入孔（１１）（１１）を形成してある。
【実施例２】
【０００８】  次に、図８に示す実施例は、請求項２で示す、５角広告面体（２）の形状を６角広告面体（１２）に形成したもので、該６角広告面体（１２）における各々６角の角部（６）（６）…に連結用の尖端挿着突条片（１３）（１３）…を各々一体に突設したものである。この該尖端挿着突条片（１３）（１３）は、挿入が容易な先端が尖っている形状に変形したものである。【０００９】  そして、球面体を構成する場合には、表面に例えば、文字、図柄模様（７）を画書した５角広告面体（２）と５角広告面体（２）とを連結体（３）を以って連接すると、該５角広告面体（２）の外側の５面に６角形の開口部（１４）（１４）…が５ヶ所に形成される。この場合、球体構造体（１５）に使用される５角広告面体（２）は、１２個を連結使用し、６角形の開口部（１４）（１４）…が、２０個形成されるものである。
更に、図８に示す、６角広告面体（１２）を中心として外周より球体構造体（１５）を構成する時には、該６角広告面体（１２）が３個と、５角形の開口部が３個の合計６個が組立て形成されるものである。この場合は、６角広告面体（１２）（１２）…には、必要に応じて文字、図柄模様（７）（７）を画書するものである。
なお、本考案の球体構造体（１５）を構成する場合の５角広告面体（２）及び６角広告面体（１２）には、各々の表面に必要に応じてサッカー、バレー、野球等のボールを表示する文字、図柄模様（７）等を記載するものである。また、各種の模様を印刷されたシール等を貼着して各種の置物としての装飾に使用する事も当然である。
【図面の簡単な説明】
【００１０】
【図１】  本考案の多角面体と連結体の部材によって組立てられた球体構造体の正面図である。
【図２】  同じく本考案の５角広告面体の斜面図である。
【図３】  本考案の２組の５角広告面体を連結体を以って連係した一部分を示す正面図である。
【図４】  本考案の図２Ａ−Ａ線の縦断側面図である。
【図５】  本考案の図２Ｂ−Ｂ線の縦断側面図である。
【図６】  本考案の連結体の１実施例を示す断面図である。
【図７】  同じく本考案の連結体の他の実施例を示す断面図である。
【図８】  本考案の６角広告面体の横断平面図である。
【図９】  同じく本考案の図８Ｃ−Ｃ線の縦断側面図である。
【符号の説明】
【００１１】  １          多角面体
２          ５角広告面体
３          連結体
５          挿着突条片
６          角部
７          文字、図柄模様
８          屈曲部
９          挿入孔
１０        楕円形状体
１１        傾斜挿入孔
１２        ６角広告面体
１３        尖端挿着突条片
１４        開口部
１５        球体構造体
【図１】
0003112679.tif 000003
【図２】
0003112679.tif 000004
【図３】
0003112679.tif 000005
【図４】
0003112679.tif 000006
【図５】
0003112679.tif 000007
【図６】
0003112679.tif 000008
【図７】
0003112679.tif 000009
【図８】
0003112679.tif 000010
【図９】
0003112679.tif 000011